(57)【要約】【課題】  伝搬経路の違いや、多重・分離処理の有無によって、状態の異なっている複数の音声映像信号を正常に合成することができる音声映像信号合成装置を提供する。【解決手段】  本発明に係るダイバシティ合成部２５０は、ＭＰＥＧ−２ ＴＳを構成するトランスポート・パケットの伝送順序を示す巡回カウンタ（Continuity Counter）の値に基づいて、合成対象のトランスポート・パケットをビデオパケット選択部２６３に送出する順序を調整するビデオ遅延調整部２６１と、複数のシステム基準時刻（ＳＴＣ）情報の中間値を演算するＳＴＣ平均化部２６６と、ＳＴＣ平均化部２６６によって演算された中間値に基づいて、合成されたＭＰＥＧ−２ ＴＳにプログラム参照時刻情報（ＰＣＲ）を付加するＰＣＲ付加部２６７とを備える。【選択図】  図３
2005217660.tif 000002
【特許請求の範囲】
【請求項１】
同一のコンテンツを含む複数の音声映像信号の中から何れかの信号を選択することによって前記複数の音声映像信号を合成し、合成音声映像信号を出力する合成部を備える音声映像信号合成装置であって、
前記コンテンツを特定する番組特定情報に基づいて、前記音声映像信号を構成するパケットの中から合成の対象となる合成対象パケットを識別する合成対象パケット識別部と、
前記合成対象パケットの伝送順序を示す巡回カウンタの値に基づいて、前記合成対象パケットを前記合成部に送出する順序を調整する第１の遅延調整部と、
前記音声映像信号に含まれている時刻情報であるプログラム参照時刻情報に基づいて、前記音声映像信号合成装置において用いられる時刻情報であるシステム基準時刻情報を生成するシステム基準時刻情報生成部と、
前記システム基準時刻情報生成部によって生成された複数の前記システム基準時刻情報の中間値を演算するシステム基準時刻調整部と、
前記システム基準時刻調整部によって演算された前記中間値に基づいて、前記合成音声映像信号にプログラム参照時刻情報を付加するプログラム参照時刻付加部と
を備えることを特徴とする音声映像信号合成装置。
【請求項２】
前記システム基準時刻生成部によって生成された複数の前記システム基準時刻情報の値を近似または一致させる第２の遅延調整部をさらに備えることを特徴とする請求項１に記載の音声映像信号合成装置。
【請求項３】
前記第１の遅延調整部は、前記音声映像信号のそれぞれに含まれるユニット開始表示情報に基づいて、複数の前記音声映像信号間の伝搬遅延差を検出し、検出した前記伝搬遅延差に応じて、前記合成対象パケットを前記合成部に送出するタイミングである合成タイミングを調整することを特徴とする請求項１または２に記載の音声映像信号合成装置。
【請求項４】
前記合成対象パケット内に設けられる誤り表示領域を用いて、前記合成対象パケットの内容に誤りが含まれているか否かを表示する誤り表示を付加する誤り表示付加部と、
前記誤り表示にしたがって、前記誤り表示が付加されていない合成対象パケットのみを選択する選択部と
をさらに備えることを特徴とする請求項１乃至３の何れか一項に記載の音声映像信号合成装置。
【請求項５】
前記合成対象パケットに前記誤り表示が付加されている場合、または前記合成対象パケットに含まれる同期情報が認識できない場合、当該合成対象パケットを含む前後所定の範囲に位置する合成対象パケットを合成せずに無効にする無効化部をさらに備えることを特徴とする請求項４に記載の音声映像信号合成装置。
【請求項６】
前記無効化部では、前記音声映像信号合成装置に入力される前記音声映像信号を伝送する伝送装置において用いられる時間インターリーブ長に基づいた前記所定の範囲が設定されることを特徴とする請求項５に記載の音声映像信号合成装置。
【発明の詳細な説明】
【技術分野】
【０００１】
本発明は、同一のコンテンツを含む複数の音声映像信号の中から何れかの信号を選択することによって前記複数の音声映像信号を合成し、合成音声映像信号を出力する合成部を備える音声映像信号合成装置、特に、複数のＭＰＥＧ−２のトランスポートストリーム信号を合成して出力する音声映像信号合成装置に関する。
【背景技術】
【０００２】
従来、野外番組、例えば、マラソンなどのロードレースの中継では、ロードレースの模様を途絶えることなく中継するため、ランナーなどを撮影するカメラなどを搭載した移動中継車と、ロードレースのコース近傍に臨時に配備された基地局との間において、複数の無線回線を介して同一のコンテンツを含む音声映像信号が伝送される、いわゆるダイバシティ技術が用いられる。
【０００３】
このようにダイバシティ技術を用いて伝送された同一のコンテンツを含む音声映像信号は、音声映像信号合成装置によってひとつの音声映像信号に合成される。
【０００４】
近年の音声映像信号ならびに通信技術のディジタル化の普及に伴い、圧縮符号化された複数の音声映像信号、例えば、ＭＰＥＧ−２（Moving Picture Experts Group）のトランスポートストリーム信号（以下、ＭＰＥＧ−２ ＴＳという）を多重したり、複数のＭＰＥＧ−２ ＴＳの中から何れかのＭＰＥＧ−２ ＴＳを選択することによって複数のＭＰＥＧ−２ ＴＳを合成したりすることが行われている（例えば、特許文献１）。
【特許文献１】特開２００３−第７８９１３号公報
【発明の開示】
【発明が解決しようとする課題】
【０００５】
ところで、上述したようなマラソンなどのロードレースの中継についても、ディジタルＨＤＴＶ放送の普及などに伴い、放送される映像の高品質化が求められている。野外番組の映像の高品質化に伴って増大する情報量を中継するためには、野外番組の中継に用いられる無線回線を効率的に利用することが必要となる。そこで、複数のＭＰＥＧ−２ ＴＳを多重する多重装置が、野外番組の中継のために用いられている。
【０００６】
このように、野外番組の中継に当該多重装置が用いられる環境において、さらに、ダイバシティ技術を用いて伝送された複数の同一のコンテンツ（番組）を含むＭＰＥＧ−２ ＴＳをひとつのＭＰＥＧ−２ ＴＳに合成する場合、次のような状況が発生し得る。
【０００７】
すなわち、伝搬経路が大幅に異なる場合があるため、合成されるＭＰＥＧ−２ ＴＳ間の伝搬遅延差が大きくなる。特に、多重（分離）装置を介して伝送されたＭＰＥＧ−２ ＴＳと、当該多重（分離）装置を介さずに伝送されたＭＰＥＧ−２ ＴＳとでは、伝搬経路の長短によって発生する遅延の大小や、多重（分離）装置での多重・分離処理に伴う遅延の有無によって、伝搬遅延差がさらに大きくなる。
【０００８】
また、多重（分離）装置を介して伝送されたＭＰＥＧ−２ ＴＳと、当該多重（分離）装置を介さずに伝送されたＭＰＥＧ−２ ＴＳとでは、その状態を示す情報の内容が異なる。
【０００９】
例えば、ＭＰＥＧ−２ ＴＳに含まれるコンテンツ（番組）を管理するための情報が記述されたＰＡＴ（Program Association Table）や、当該コンテンツを構成する音声や映像などのデータを管理するための情報が記述されたＰＭＴ（Program Map Table）など、いわゆる番組特定情報（以下、ＰＳＩ（Program Specific Information）という）の内容が変更されたり、追加されたりする場合がある。また、ＭＰＥＧ−２ ＴＳの多重または分離処理において、ＭＰＥＧ−２ ＴＳを構成する各種パケット（音声・映像パケットなど）の伝送順序が変更される場合がある。
【００１０】
つまり、従来のダイバシティ合成装置は、伝搬経路の違いや、多重（分離）装置による多重・分離処理の有無によって、状態の異なっている複数のＭＰＥＧ−２ ＴＳ（音声映像信号）を、正常にひとつのＭＰＥＧ−２ ＴＳに合成することができないといった問題があった。
【００１１】
そこで、本発明は、以上の点に鑑みてなされたもので、伝搬経路の違いや、多重・分離処理の有無によって、状態の異なっている複数の音声映像信号を正常に合成することができる音声映像信号合成装置を提供することを目的とする。
【課題を解決するための手段】
【００１２】
上述した課題を解決するため、本発明は、次のような特徴を有している。まず、本発明の第１の特徴は、同一のコンテンツを含む複数の音声映像信号（例えば、ＭＰＥＧ−２ ＴＳ）の中から何れかの信号を選択することによって前記複数の音声映像信号を合成し、合成音声映像信号を出力する合成部を備える音声映像信号合成装置（ダイバシティ合成部２５０）であって、前記コンテンツを特定する番組特定情報（ＰＳＩ）に基づいて、前記音声映像信号を構成するパケット（例えば、ＭＰＥＧ−２ ＴＳを構成するトランスポート・パケット）の中から合成の対象となる合成対象パケット（例えば、音声・映像パケットなど）を識別する合成対象パケット識別部（パケット識別部２５５ａ，２５５ｂ）と、前記合成対象パケットの伝送順序を示す巡回カウンタ（Continuity Counter）の値に基づいて、前記合成対象パケットを前記合成部に送出する順序を調整する第１の遅延調整部（ビデオ遅延調整部２６１，オーディオ遅延調整部２６２）と、前記音声映像信号に含まれている時刻情報であるプログラム参照時刻情報（Program Clock Reference）に基づいて、前記音声映像信号合成装置において用いられる時刻情報であるシステム基準時刻情報（System Time Clock）を生成するシステム基準時刻情報生成部（ＳＴＣカウンタ２５８ａ，２５８ｂ）と、前記システム基準時刻情報生成部によって生成された複数の前記システム基準時刻情報の中間値を演算するシステム基準時刻調整部（ＳＴＣ平均化部２６６）と、前記システム基準時刻調整部によって演算された前記中間値に基づいて、前記合成音声映像信号にプログラム参照時刻情報を付加するプログラム参照時刻付加部（ＰＣＲ付加部２６７）とを備えることを要旨とする。
【００１３】
かかる特徴によれば、合成対象パケット識別部が、ＭＰＥＧ−２ ＴＳの番組特定情報（ＰＳＩ）、具体的には、ＰＡＴ及びＰＭＴの内容を参照して、合成対象パケットを識別するため、多重（分離）装置などによって、パケットの内容を示すＰＩＤ（Packet Identifier）が書き換えられた場合でも、音声映像信号合成装置は、合成対象パケットを確実に識別することができる。
【００１４】
また、かかる特徴によれば、第１の遅延調整部が、ＭＰＥＧ−２ ＴＳに含まれる巡回カウンタ（Continuity Counter）の値に基づいて、合成対象パケットを合成部に送出する順序を調整するため、多重（分離）装置などによって、合成対象パケットの伝送順序が変更されている場合でも、合成時に正しい順序に調整することができる。
【００１５】
さらに、かかる特徴によれば、プログラム参照時刻付加部が、システム基準時刻情報の中間値に基づいて、合成された“出力ＭＰＥＧ−２ ＴＳ”にプログラム参照時刻情報を付加するため、“出力ＭＰＥＧ−２ ＴＳ”のジッタ成分、すなわち、“出力ＭＰＥＧ−２ ＴＳ”の出力タイミングが大きく変動することを抑制することができる。
【００１６】
ところで、上述したＭＰＥＧ−２ ＴＳの巡回カウンタとしては、４ビットが割り当てられており、同一のＰＩＤを有するトランスポート・パケットを受信するごとに巡回カウンタの値がインクリメント（増加）され、値が“１５”（２4−１）になると、次は“０”に戻るため、伝送順序を認識可能なトランスポート・パケットの範囲は、前後７パケット以内に制限される。
【００１７】
このため、合成されるＭＰＥＧ−２ ＴＳの伝搬遅延差が大きい場合、具体的には、合成対象パケットの伝搬遅延が、１５パケット分に相当する時間以上である場合、音声映像信号合成装置は、ＭＰＥＧ−２ ＴＳを正常に合成することができない可能性がある。
【００１８】
そこで、本発明の第２の特徴は、本発明の第１の特徴において、前記システム基準時刻生成部によって生成された複数の前記システム基準時刻情報の値を近似または一致させる第２の遅延調整部（可変遅延調整部２５２ａ，２５２ｂ）をさらに備えることを要旨とする。
【００１９】
かかる特徴によれば、第２の遅延調整部が複数のシステム基準時刻情報の値を近似または一致させるため、合成されるＭＰＥＧ−２ ＴＳ間の伝搬遅延差を減少させることができる。
【００２０】
複数のシステム基準時刻情報の値を近似または一致させることによって、一般的には、合成されるＭＰＥＧ−２ ＴＳ間の伝搬遅延差を１５パケット分に相当する時間以内に収斂させることができるため、音声映像信号合成装置は、上述した第１の遅延調整部による動作と合わせて、ＭＰＥＧ−２ ＴＳ間の伝搬遅延差が大きい場合でも正常にＭＰＥＧ−２ ＴＳを合成することができる。
【００２１】
ところで、多重（分離）装置などでは、出力されるＭＰＥＧ−２ ＴＳに含まれるプログラム参照時刻情報（ＰＣＲ）が付替えられるが、当該付替処理に伴って、当該多重（分離）装置などから出力されるＰＣＲパケットの伝送順序が、当該付替処理前と比較して、他のパケット（音声・映像パケットなど）よりも変化する場合がある。また、当該付替処理に伴って、音声・映像パケットと、ＰＣＲパケットに含まれるＰＣＲとの時間的な距離（時間差）が変化する場合がある。
【００２２】
そこで、本発明の第３の特徴は、本発明の第１または第２の特徴において、前記第１の遅延調整部が、前記音声映像信号のそれぞれに含まれるユニット開始表示情報（Payload Unit Start Indicator）に基づいて、複数の前記音声映像信号間の伝搬遅延差を検出し、検出した前記伝搬遅延差に応じて、前記合成対象パケットを前記合成部に送出するタイミングである合成タイミングを調整することを要旨とする。
【００２３】
かかる特徴によれば、第１の遅延調整部が、ユニット開始表示情報（Payload Unit Start Indicator）に基づいて、音声・映像パケットと、ＰＣＲパケットに含まれるＰＣＲとの時間的な距離（時間差）を認識するため、ＰＣＲの付替処理などに伴ってＰＣＲパケットの伝送順序が音声・映像パケットよりも相対的に遅れる場合や、音声・映像パケットなどのＰＣＲに対する位置が変化する場合でも、音声映像信号合成装置は、正常にＭＰＥＧ−２ ＴＳを合成することができる。
【００２４】
なお、本発明の第３の特徴において、第１の遅延調整部は、より確実に音声・映像パケットと、ＰＣＲパケットに含まれるＰＣＲとの時間的な距離（時間差）を認識するため、トランスポート・パケットに含まれるＰＩＤ値、トランスポート・パケットのスクランブルモードを示すスクランブル制御（Transport Scrambling Control）値、またはアダプテーション・フィールド制御（Adaptation Field Control）値が、合成される他のＭＰＥＧ−２ ＴＳのトランスポート・パケットと一致していることを合わせて判定してもよい。
【００２５】
本発明の第４の特徴は、本発明の第１乃至第３の特徴において、前記合成対象パケット内に設けられる誤り表示領域を用いて、前記合成対象パケットの内容に誤りが含まれているか否かを表示する誤り表示を付加する誤り表示付加部（受信部２５１ａ）と、前記誤り表示にしたがって、前記誤り表示が付加されていない合成対象パケットのみを選択する選択部（ビデオパケット選択部２６３，オーディオパケット選択部２６４）とをさらに備えることを要旨とする。
【００２６】
かかる特徴によれば、選択部は、合成対象パケットごとに誤りの有無を認識することができるため、合成対象パケットの伝送順序が変更されている場合でも、誤りが含まれている合成対象パケットを正しく認識することができる。
【００２７】
本発明の第５の特徴は、本発明の第４の特徴において、前記合成対象パケットに前記誤り表示が付加されている場合、または前記合成対象パケットに含まれる同期情報が認識できない場合、当該合成対象パケットを含む前後所定の範囲に位置する合成対象パケットを合成せずに無効にする無効化部（ビデオパケット選択部２６３，オーディオパケット選択部２６４）をさらに備えることを要旨とする。
【００２８】
すなわち、合成対象パケットに含まれる誤りビット数が過大な場合、正常に誤りを検出できない場合や、当該誤りを訂正する時間が増大するために誤り表示付加部による誤り表示の付加が遅れる場合があり、誤りを含む合成対象パケットを合成対象から正確に排除できなくなる場合がある。
【００２９】
本発明の第５の特徴によれば、合成対象パケット（トランスポート・パケット）に誤り表示が付加されている場合、または合成対象パケットに含まれる同期情報が認識できない場合、無効化部が当該合成対象パケットを含む前後所定の範囲に位置する合成対象パケットを無効にすることによって、誤りが含まれる可能性のある合成対象パケットが合成されることが防止される。
【００３０】
本発明の第６の特徴は、本発明の第５の特徴において、前記無効化部では、前記音声映像信号合成装置に入力される前記音声映像信号を伝送する伝送装置（例えば、ＯＦＤＭ送受信機）において用いられる時間インターリーブ長に基づいた前記所定の範囲が設定されることを要旨とする。
【００３１】
すなわち、合成対象パケットの誤りを正常に検出できない状態は、伝送装置において用いられる時間インターリーブ長、例えば、無線伝送装置において伝送される情報の単位である１シンボルの時間的な長さと関連していることが多い。本発明の第６の特徴によれば、誤りが含まれる可能性のある合成対象パケットを効率的に排除することができる。
【発明の効果】
【００３２】
本発明によれば、伝搬経路の違いや、多重・分離処理の有無によって、状態の異なっている複数の音声映像信号を正常に合成することができる音声映像信号合成装置を提供することを提供することができる。
【発明を実施するための最良の形態】
【００３３】
本発明の実施形態について図面を参照しながら説明する。図１は、本実施形態に係る野外番組の中継システムの構成例を示している。
【００３４】
具体的には、図１は、マラソンなどのロードレースを中継する場合における中継システムの構成例を示している。同図に示すように、ロードレースのスタート・ゴール地点となるスタジアムＳＤの近傍には、センター基地局ＢＳ１が配備されている。
【００３５】
また、ロードレースのコースＣＵの近傍には、ランナーなどを撮影するカメラが搭載された移動中継車Ｃ１，Ｃ２と、無線回線を介して音声映像信号を中継する基地局ＢＳ２及び基地局ＢＳ３が配備されている。
【００３６】
このようなロードレースの中継は、一般的に生放送であるため、移動中継車Ｃ１，Ｃ２と、臨時に配備された基地局（ＢＳ１〜ＢＳ３）とを接続する無線回線が非常に重要となる。そこで、移動中継車Ｃ１，Ｃ２から送信されるＭＰＥＧ−２ ＴＳ（トランスポートストリーム信号）を確実に中継できるように、各基地局のカバレッジが、他の基地局のカバレッジと極力重なり合うように構成される。
【００３７】
同図に示すように、センター基地局ＢＳ１は、カバレッジＣＶ１を有している。また、基地局ＢＳ２は、カバレッジＣＶ２を有し、基地局ＢＳ３は、カバレッジＣＶ３ａ，ＣＶ３ｂを有している。例えば、カバレッジＣＶ１とカバレッジＣＶ２とは、互いに重なり合う領域を有し、同図では、当該領域内に移動中継車Ｃ１が位置している。同様に、カバレッジＣＶ２とカバレッジＣＶ３ａとは、互いに重なり合う領域を有し、同図では、当該領域内に移動中継車Ｃ２が位置している。
【００３８】
また、同図では、移動中継車Ｃ１は、無線回線ＲＬ１１を介してセンター基地局ＢＳ１と、無線回線ＲＬ１２を介して基地局ＢＳ２と、それぞれ接続することができる。さらに、移動中継車Ｃ２は、無線回線ＲＬ２１を介して基地局ＢＳ３と、無線回線ＲＬ２２を介して基地局ＢＳ２と、それぞれ接続することができる。
【００３９】
すなわち、移動中継車Ｃ１，Ｃ２は、複数の基地局と無線回線を介して接続され、同一のＭＰＥＧ−２ ＴＳを複数の基地局に対して送信することができる。
【００４０】
さらに、同図に示すように、無線回線ＲＬ１を介してセンター基地局ＢＳ１と基地局ＢＳ２とが接続され、無線回線ＲＬ２を介してセンター基地局ＢＳ１と基地局ＢＳ３とが接続されている。
【００４１】
また、センター基地局ＢＳ１では、移動中継車Ｃ１，Ｃ２から送信されたＭＰＥＧ−２ ＴＳについて、当該ＭＰＥＧ−２ ＴＳに含まれる音声及び映像情報をロードレースの展開に応じてスイッチングする処理や、スーパーインポーズを挿入する処理が実行される。さらに、当該処理が実行されたＭＰＥＧ−２ ＴＳは、無線または有線回線を介して放送局ＳＴに中継される。
【００４２】
放送局ＳＴでは、センター基地局ＢＳ１から中継されたＭＰＥＧ−２ ＴＳが、放送の方式に合わせた信号に必要により変換される。また、当該信号は、送信タワーＴＷから無線信号として視聴者に向けて送信される。
【００４３】
（中継システムの概略ブロック構成）
次に、図２を参照して、上述した中継システムの概略ブロック構成について説明する。同図に示すように、移動中継車Ｃ１は、カメラ（不図示）によって撮影された映像信号などをＭＰＥＧ−２ ＴＳに符号化するＭＰＥＧ２符号化器１１と、ＭＰＥＧ−２ ＴＳを、無線回線ＲＬ１１を介してセンター基地局ＢＳ１に送信するとともに、無線回線ＲＬ１２を介して基地局ＢＳ２に送信するＯＦＤＭ送信機２１とを備えている。同様に、移動中継車Ｃ２は、ＭＰＥＧ２符号化器１２と、無線回線ＲＬ２２を介してＭＰＥＧ−２ ＴＳを基地局ＢＳ２に送信するＯＦＤＭ送信機２２とを備えている。
【００４４】
なお、ＯＦＤＭ送信機２１，２２は、直交周波数分割多重方式（Orthogonal Frequency Division Multiplex）を用いた送信機であり、本実施形態では、使用周波数帯域として８００ＭＨｚ帯が用いられる。
【００４５】
基地局ＢＳ２は、ＯＦＤＭ受信機３１，３２と、ＭＰＥＧ２ ＴＳ多重装置１００と、ＦＭ送信機４１とを備えている。
【００４６】
ＯＦＤＭ受信機３１は、移動中継車Ｃ１から無線回線ＲＬ１２を介して送信されたＭＰＥＧ−２ ＴＳをＭＰＥＧ２ ＴＳ多重装置１００に送出する。同様に、ＯＦＤＭ受信機３２は、移動中継車Ｃ２から無線回線ＲＬ２２を介して送信されたＭＰＥＧ−２ ＴＳをＭＰＥＧ２ ＴＳ多重装置１００に送出する。
【００４７】
ＭＰＥＧ２ ＴＳ多重装置１００は、複数のＭＰＥＧ−２ ＴＳを受信するとともに、当該複数のＭＰＥＧ−２ ＴＳを多重して、“多重化ＭＰＥＧ−２ ＴＳ”を出力するものである。
【００４８】
ＦＭ送信機４１は、周波数変調を用いたディジタル無線送信機であり、センター基地局ＢＳ１に配備されているＦＭ受信機５１と対向する。ＦＭ送信機４１は、ＭＰＥＧ２ ＴＳ多重装置１００によって多重された“多重化ＭＰＥＧ−２ ＴＳ”をセンター基地局ＢＳ１に無線回線ＲＬ１を介して送信することができる。
【００４９】
なお、同図では図示されていないが、基地局ＢＳ３も、基地局ＢＳ２と同様のブロック構成を有している。
【００５０】
センター基地局ＢＳ１は、ＦＭ受信機５１と、ＯＦＤＭ受信機３３と、ＭＰＥＧ２ ＴＳ分離・ダイバシティ合成装置２００と、ＭＰＥＧ２復号器６１，６２とを備えている。
【００５１】
ＦＭ受信機５１は、ＦＭ送信機４１から無線回線ＲＬ１を介して送信された“多重化ＭＰＥＧ−２ ＴＳ”をＭＰＥＧ２ ＴＳ分離・ダイバシティ合成装置２００に送出する。
【００５２】
ＯＦＤＭ受信機３３は、移動中継車Ｃ１から無線回線ＲＬ１１を介して送信されたＭＰＥＧ−２ ＴＳをＭＰＥＧ２ ＴＳ分離・ダイバシティ合成装置２００に送出する。
【００５３】
ＭＰＥＧ２ ＴＳ分離・ダイバシティ合成装置２００は、ＭＰＥＧ２ ＴＳ分離部２１０と、ダイバシティ合成部２５０とを備えている。
【００５４】
ＭＰＥＧ２ ＴＳ分離部２１０は、ＭＰＥＧ２ ＴＳ多重装置１００によって多重された“多重化ＭＰＥＧ−２ ＴＳ”をＭＰＥＧ−２ ＴＳに分離するものである。具体的には、ＭＰＥＧ２ ＴＳ分離部２１０は、移動中継車Ｃ２から送信されたＭＰＥＧ−２ ＴＳを“多重化ＭＰＥＧ−２ ＴＳ”から分離して、ＭＰＥＧ２復号器６１に送出する。また、ＭＰＥＧ２ ＴＳ分離部２１０は、“多重化ＭＰＥＧ−２ ＴＳ”をダイバシティ合成部２５０に送出する。
【００５５】
ダイバシティ合成部２５０は、ＦＭ受信機５１を介して受信した“多重化ＭＰＥＧ−２ ＴＳ”に含まれている移動中継車Ｃ１から送信されたＭＰＥＧ−２ ＴＳと、ＯＦＤＭ受信機３３介して移動中継車Ｃ１から送信されたＭＰＥＧ−２ ＴＳとを合成して、ひとつのＭＰＥＧ−２ ＴＳをＭＰＥＧ２復号器６２に出力するものである。
【００５６】
ＭＰＥＧ２復号器６１，６２は、ＭＰＥＧ２ ＴＳ分離・ダイバシティ合成装置２００から出力されたＭＰＥＧ−２ ＴＳをＲＧＢ信号に復号するものである。
【００５７】
（音声映像信号合成装置の論理ブロック構成）
次に、図３を参照して、本実施形態に係る音声映像信号合成装置を構成するダイバシティ合成部２５０の論理ブロック構成について説明する。
【００５８】
同図に示すように、ダイバシティ合成部２５０は、ＯＦＤＭ受信機３３から出力されたＭＰＥＧ−２ ＴＳを受信する受信回路２５０ａと、ＭＰＥＧ２ ＴＳ分離部２１０によって出力された“多重化ＭＰＥＧ−２ ＴＳ”を受信する受信回路２５０ｂとを備えている。
【００５９】
また、ダイバシティ合成部２５０は、ビデオ遅延調整部２６１と、オーディオ遅延調整部２６２と、ビデオパケット選択部２６３と、オーディオパケット選択部２６４と、多重化部２６５と、ＳＴＣ平均化部２６６と、ＰＣＲ付加部２６７とを備えている。
【００６０】
なお、受信回路２５０ａと、受信回路２５０ｂとは同様のブロック構成を有しているため、以下、受信回路２５０ａのブロック構成について説明する。
【００６１】
受信回路２５０ａは、受信部２５１ａと、可変遅延調整部２５２ａと、ＰＬＬ部２５３ａと、パケット識別部２５５ａと、ビデオバッファ２５６ａと、オーディオバッファ２５７ａと、ＳＴＣカウンタ２５８ａとを備えている。また、パケット識別部２５５ａは、番組番号選択部２５４と接続されている。
【００６２】
番組番号選択部２５４は、ＭＰＥＧ２ ＴＳ分離・ダイバシティ合成装置２００のユーザに、受信部２５１ａによって受信されるＭＰＥＧ−２ ＴＳに含まれるコンテンツ（番組）の番号（番組番号）を選択させるためのＧＵＩ（Graphical User Interface）を具備している。
【００６３】
また、番組番号選択部２５４は、ユーザによって選択された番組番号に基づいて、当該ＭＰＥＧ−２ ＴＳに含まれるＰＡＴ（Program Association Table）及びＰＭＴ（Program Map Table）、つまり、ＰＳＩ（Program Specific Information、番組特定情報）を参照して、合成対象とするトランスポート・パケット（合成対象パケット）をパケット識別部２５５ａに指示する。具体的には、番組番号選択部２５４は、合成対象のトランスポート・パケットのＰＩＤ（Program Identifier）をパケット識別部２５５ａに指示する。なお、受信部２５１ａは、ＭＰＥＧ−２ ＴＳに含まれるビット誤り（エラー）誤りを訂正する訂正ことができる。
【００６４】
また、受信部２５１ａは、トランスポート・パケット内に設けられる誤り表示領域を用いて、当該トランスポート・パケットの内容に誤りが含まれているか否かを表示する誤り表示を付加するものであり、本実施形態では、誤り表示付加部を構成する。
【００６５】
ここで、図４は、受信部２５１ａが受信するＭＰＥＧ−２ ＴＳの構造を示している。図４（ａ）は、１８８バイト単位で構成されるトランスポート・パケットを示している。また、図４（ｂ）は、トランスポート・パケットの構成を示している。同図（ｂ）に示すように、トランスポート・パケットには、アダプテーション・フィールドが設けられている。さらに、図４（ｃ）は、アダプテーション・フィールドの構成を示している。同図（ｃ）に示すように、アダプテーション・フィールドには、オプショナル・フィールドが設けられている。また、図４（ｄ）は、オプショナル・フィールドの構成を示している。
【００６６】
受信部２５１ａは、図４（ｂ）に示されている“誤り表示”ビットを用いて、誤り表示を付加する。すなわち、受信部２５１ａが、トランスポート・パケットごとに誤り表示ビットを用いて誤り表示を付加するため、トランスポート・パケットの伝送順序が、例えばＭＰＥＧ２ ＴＳ多重装置１００によるＭＰＥＧ−２ ＴＳの多重処理に伴って変更された場合でも、後段に位置するビデオパケット選択部２６３やオーディオパケット選択部２６４などは、誤りを含むトランスポート・パケットを正しく認識することができる。
【００６７】
可変遅延調整部２５２ａ（２５２ｂ）は、ＳＴＣカウンタ２５８ａ，２５８ｂによってそれぞれ生成されたＳＴＣ（System Time Clock、システム基準時刻情報）の値を近似または一致させるものであり、本実施形態では、第２の遅延調整部を構成する。
【００６８】
具体的には、可変遅延調整部２５２ａは、可変遅延調整部２５２ｂとともに、ＳＴＣカウンタ２５８ａ，２５８ｂによってそれぞれ生成されたＳＴＣの値を一致させる。ここで、ＳＴＣの値を一致させるには、ＳＴＣカウンタ２５８ａによって生成されるＳＴＣの値に、ＳＴＣカウンタ２５８ｂによって生成されるＳＴＣの値を合わせてもよいし、また、その逆でもよい。
【００６９】
さらに、可変遅延調整部２５２ａ，２５２ｂは、各ＳＴＣの値の中間値を設定するようにしてもよい。また、可変遅延調整部２５２ａ，２５２ｂは、各ＳＴＣの値を完全に一致させなくても構わない。
【００７０】
ＰＬＬ部２５３ａは、ディジタル／アナログ変換器と、ローパスフィルタと、電圧制御発振器とから構成され、受信部２５１ａが受信したＭＰＥＧ−２ ＴＳに含まれるＰＣＲ（Program Clock Reference、プログラム参照時刻）値と、ＳＴＣカウンタ２５８ａによって生成されたＳＴＣの値とを比較して、電圧制御発振器の発振周波数を調整するものである。
【００７１】
パケット識別部２５５ａは、番組番号選択部２５４による指示に基づいて、ＭＰＥＧ−２ ＴＳを構成するトランスポート・パケットの中から合成の対象となる合成対象パケットを識別するものであり、本実施形態では、合成対象パケット識別部を構成する。
【００７２】
具体的には、パケット識別部２５５ａは、番組番号選択部２５４によって指示されたＰＩＤに基づいて、合成対象のトランスポート・パケットを識別する。また、パケット識別部２５５ａは、合成対象のトランスポート・パケットのうち、映像パケット（ビデオ）など（他にＰＣＲパケットなどを含む）をビデオバッファ２５６ａに、音声パケット（オーディオ）など（他にＰＣＲパケットなどを含む）をオーディオバッファ２５７ａにそれぞれ格納する。
【００７３】
ビデオバッファ２５６ａ及びオーディオバッファ２５７ａは、ＰＩＤごとにトランスポート・パケットを格納することができ、本実施形態では、１６パケット分の容量を備えている。
【００７４】
ＳＴＣカウンタ２５８ａは、受信部２５１ａによって受信されたＭＰＥＧ−２ ＴＳに含まれている時刻情報であるＰＣＲ値に基づいて、前記音声映像信号合成装置において用いられる時刻情報であるＳＴＣを生成するものであり、本実施形態では、システム基準時刻情報生成部を構成する。
【００７５】
具体的には、ＳＴＣカウンタ２５８ａは、受信したＭＰＥＧ−２ ＴＳに含まれているＰＣＲ値に基づいて、受信回路２５０ａにおいて用いられるＳＴＣ、つまり時刻を計時する。また、ＳＴＣカウンタ２５８ａによって計時されたＳＴＣの値は、ＳＴＣ平均化部２６６に通知される。
【００７６】
次に、受信回路２５０ａ及び受信回路２５０ｂによって受信されたＭＰＥＧ−２ ＴＳを合成するブロックの機能について説明する。
【００７７】
ビデオ遅延調整部２６１は、合成対象のトランスポート・パケットの伝送順序を示す巡回カウンタ（Continuity Counter）の値に基づいて、当該トランスポート・パケットに含まれる映像パケットなどをビデオパケット選択部２６３に送出する順序を調整するものであり、本実施形態では、第１の遅延調整部を構成する。
【００７８】
具体的には、ビデオ遅延調整部２６１は、合成対象のトランスポート・パケットに含まれている、４ビットで表現される巡回カウンタ（図４（ｂ）参照）の値に基づいて、トランスポート・パケットに含まれる映像パケットなどをビデオパケット選択部２６３に送出する順序を調整する。
【００７９】
すなわち、ビデオ遅延調整部２６１は、受信回路２５０ａ及び受信回路２５０ｂによって受信されたそれぞれのＭＰＥＧ−２ ＴＳに含まれる合成対象のトランスポート・パケットに含まれる映像パケットなどをビデオパケット選択部２６３に送出する順序を、巡回カウンタの値に基づいて決定する。例えば、巡回カウンタの値が“５”（０１０１）であるトランスポート・パケットに含まれる映像パケットを同一のタイミングでビデオパケット選択部２６３に送出する。
【００８０】
また、ビデオ遅延調整部２６１は、ＭＰＥＧ−２ ＴＳのそれぞれに含まれるユニット開始表示情報（Payload Unit Start Indicator、図４（ｂ）参照）に基づいて、複数のＭＰＥＧ−２ ＴＳ間の伝搬遅延差を検出し、検出した伝搬遅延差に応じて、合成対象のトランスポート・パケットに含まれる映像パケットなどをビデオパケット選択部２６３に送出するタイミングである合成タイミングを調整することができる。
【００８１】
オーディオ遅延調整部２６２は、合成対象のトランスポート・パケットに含まれる音声パケットなどについて、ビデオ遅延調整部２６１と同期しつつ、ビデオ遅延調整部２６１と同様の処理を実行するものである。
【００８２】
なお、ビデオ遅延調整部２６１及びオーディオ遅延調整部２６２によるトランスポート・パケットの遅延の調整方法については、さらに後述する。
【００８３】
ビデオパケット選択部２６３は、複数のＭＰＥＧ−２ ＴＳを合成し、合成されたひとつのＭＰＥＧ−２ ＴＳ（合成音声映像信号）を出力するものであり、本実施形態では、合成部を構成する。
【００８４】
具体的には、ビデオパケット選択部２６３は、ビデオ遅延調整部２６１から送出されたそれぞれのＭＰＥＧ−２ ＴＳを構成する同一の合成対象パケットのうち、何れかを選択して、多重化部２６５に送出する。
【００８５】
また、ビデオパケット選択部２６３は、受信部２５１ａによって付加された誤り表示にしたがって、誤り表示が付加されていない合成対象パケットのみを選択するものであり、本実施形態では、選択部を構成する。具体的には、ビデオパケット選択部２６３は、誤り表示がないパケットのみを選択して、多重化部２６５に送出する。
【００８６】
さらに、ビデオパケット選択部２６３は、合成対象のトランスポート・パケットに誤り表示が付加されている場合、または合成対象のトランスポート・パケットに含まれる同期情報（同期バイト、図４（ｂ）参照）が認識できない場合、当該合成対象のトランスポート・パケットを含む前後所定の範囲に位置する合成対象のトランスポート・パケットを合成せずに無効にするものであり、本実施形態では、無効化部を構成する。
【００８７】
具体的には、ビデオパケット選択部２６３は、誤り表示を含むトランスポート・パケットと、当該トランスポート・パケットの前後７〜４０９５パケット分を無効にすることができる。
【００８８】
また、ビデオパケット選択部２６３では、受信部２５１ａに入力されるＭＰＥＧ−２ ＴＳを伝送する伝送装置において用いられる時間インターリーブ長に基づいて、上述した所定の範囲が設定できるように構成される。
【００８９】
具体的には、ビデオパケット選択部２６３では、ＯＦＤＭ受信機３１〜３３において用いられている時間インターリーブ長（シンボル長）と同一の時間や、当該時間インターリーブ長の２倍に相当するトランスポート・パケットの数量分を無効とされるように設定することができる。
【００９０】
オーディオパケット選択部２６４は、合成対象のトランスポート・パケットに含まれる音声パケットなどについて、ビデオパケット選択部２６３と同期しつつ、ビデオパケット選択部２６３と同様の処理を実行するものである。
【００９１】
多重化部２６５は、ビデオパケット選択部２６３及びオーディオパケット選択部２６４から出力された合成済みの映像パケットと音声パケットとを多重してひとつのＭＰＥＧ−２ ＴＳに変換するものである。
【００９２】
ＳＴＣ平均化部２６６は、ＳＴＣカウンタ２５８ａ，２５８ｂによって生成された複数のＳＴＣ（システム基準時刻情報）の中間値を演算するものであり、本実施形態では、システム基準時刻調整部を構成する。
【００９３】
具体的には、ＳＴＣ平均化部２６６は、ＳＴＣカウンタ２５８ａ，２５８ｂによってそれぞれ生成されたＳＴＣの値の平均値を演算する。すなわち、ＳＴＣ平均化部２６６は、ＳＴＣカウンタ２５８ａによって生成されたＳＴＣの値と、ＳＴＣカウンタ２５８ｂによって生成されたＳＴＣの値との合計値を“２”で除算することによって、当該平均値を演算する。
【００９４】
なお、ＳＴＣ平均化部２６６は、単純な平均値ではなく、ＳＴＣカウンタ２５８ａによって生成されるＳＴＣの値と、ＳＴＣカウンタ２５８ｂによって生成されるＳＴＣの値との中間値を決定してもよい。
【００９５】
ＰＣＲ付加部２６７は、ＳＴＣ平均化部２６６によって演算された平均値（中間値）に基づいて、多重化部２６５から出力されたＭＰＥＧ−２ ＴＳ、つまり、合成されたＭＰＥＧ−２ ＴＳにＰＣＲ（プログラム参照時刻情報）を付加するものであり、本実施形態では、プログラム参照時刻付加部を構成する。
【００９６】
具体的には、ＰＣＲ付加部２６７は、図４（ｄ）に示すように、オプショナル・フィールド内に設けられたＰＣＲフィールド（例えば、４２ビット分）を用いて、ＳＴＣ平均化部２６６によって演算されたＳＴＣの平均値をＰＣＲとして付加する。
【００９７】
（音声映像信号合成装置の動作）
次に、図５及び図６を参照して、本実施形態に係る音声映像信号合成装置を構成するダイバシティ合成部２５０の動作について説明する。
【００９８】
まず、図５を参照して、ダイバシティ合成部２５０が、受信したＭＰＥＧ−２ ＴＳ間の伝搬遅延差を調整する動作について説明する。ここで、同図（ａ１）は、受信回路２５０ａに入力されるＭＰＥＧ−２ ＴＳ、すなわち、上述したように、ＯＦＤＭ受信機３３によって出力されたＭＰＥＧ−２ ＴＳ（以下、ＭＰＥＧ−２ ＴＳａという）を示している。一方、同図（ｂ１）は、受信回路２５０ｂに入力されるＭＰＥＧ−２ ＴＳ、すなわち、上述したように、ＭＰＥＧ２ ＴＳ分離部２１０によって出力されたＭＰＥＧ−２ ＴＳ（以下、ＭＰＥＧ−２ ＴＳｂという）を示している。
【００９９】
同図（ａ１）及び（ｂ１）に示すように、ＭＰＥＧ−２ ＴＳｂは、ＭＰＥＧ２ ＴＳ多重装置１００及びＭＰＥＧ２ ＴＳ分離部２１０を介してダイバシティ合成部２５０に入力されるため、ＭＰＥＧ−２ ＴＳａよりも遅れて（図中の矢印）受信回路２５０ｂに入力される。
【０１００】
そこで、ダイバシティ合成部２５０（ビデオ遅延調整部２６１，オーディオ遅延調整部２６２）は、ＭＰＥＧ−２ ＴＳａ及びＭＰＥＧ−２ ＴＳｂに含まれている巡回カウンタ・フィールド（不図示）の値に基づいて、ＭＰＥＧ−２ ＴＳａとＭＰＥＧ−２ ＴＳｂとに含まれるパケットを合成する順序、及び合成タイミングを調整する。
【０１０１】
具体的には、ビデオ遅延調整部２６１（オーディオ遅延調整部２６２）は、巡回カウンタ（Continuity Counter）・フィールドの値に基づいて、ビデオパケット選択部２６３（オーディオパケット選択部２６４）に、ＭＰＥＧ−２ ＴＳａ及びＭＰＥＧ−２ ＴＳｂの各パケット（図中の各四角形部分）を送出する順序またはタイミングを調整する。
【０１０２】
また、ダイバシティ合成部２５０（可変遅延調整部２５２ａ，２５２ｂ）は、受信回路２５０ａ及び受信回路２５０ｂにおいて、ＭＰＥＧ−２ ＴＳａ及びＭＰＥＧ−２ ＴＳｂに基づいてそれぞれ生成されるＳＴＣの値を一致させることによって、ＭＰＥＧ−２ ＴＳａとＭＰＥＧ−２ ＴＳｂとの伝搬遅延差を調整する。
【０１０３】
すなわち、ＭＰＥＧ−２ ＴＳａ及びＭＰＥＧ−２ ＴＳｂの巡回カウンタとしては、４ビットが割り当てられており、同一のＰＩＤを有するトランスポート・パケットを受信するごとに巡回カウンタの値がインクリメント（増加）され、値が“１５”（２4−１）になると、次は“０”に戻るため、伝送順序を認識可能なトランスポート・パケットの範囲は、前後７パケット以内（図中の矢印）に制限される。このため、ＭＰＥＧ−２ ＴＳａとＭＰＥＧ−２ ＴＳｂとの伝搬遅延差が１５パケット分に相当する時間以上である場合、ダイバシティ合成部２５０は、ＭＰＥＧ−２ ＴＳａとＭＰＥＧ−２ ＴＳｂとを正常に合成することができない可能性がある。そこで、上述したように、可変遅延調整部２５２ａ，２５２ｂは、ＭＰＥＧ−２ ＴＳａ及びＭＰＥＧ−２ ＴＳｂに基づいてそれぞれ生成されるＳＴＣの値を一致させることによって、ＭＰＥＧ−２ ＴＳａとＭＰＥＧ−２ ＴＳｂとの伝搬遅延差をさらに調整、つまり低減する。
【０１０４】
図５（ａ２）及び（ｂ２）は、巡回カウンタの値、及びＳＴＣの値を一致させることによって、ＭＰＥＧ−２ ＴＳａとＭＰＥＧ−２ ＴＳｂとの合成順序及び合成タイミングが、ＰＣＲパケットベース、つまり時刻情報に基づいて調整された状態を示している（図中のＰａ_ｐｃｒ１とＰｂ_ｐｃｒ１、及びＰａ_ｐｃｒ２とＰｂ_ｐｃｒ２のタイミングが一致している）。
【０１０５】
また、ＭＰＥＧ２ ＴＳ多重装置１００などではＰＣＲ値が付替えられるが、当該付替処理に伴って、ＭＰＥＧ２ ＴＳ多重装置１００などから出力されるＰＣＲパケットの伝送順序が、当該付替処理前と比較して、音声・映像パケット（ＡＶパケット）などよりも相対的に遅れる場合がある。
【０１０６】
すなわち、図５（ｂ１）及び（ｂ２）に示すように、ＭＰＥＧ２ ＴＳ多重装置１００及びＭＰＥＧ２ ＴＳ分離部２１０を介して入力されたＭＰＥＧ−２ ＴＳｂのＰＣＲパケット（Ｐｂ_ｐｃｒ１）は、ＭＰＥＧ−２ ＴＳａと比較すると、ＡＶパケット（Ｐｂ_ａｖ）やユニット開始表示パケット（Ｐｂ_ｓｔ）よりも相対的に遅れている。
【０１０７】
具体的には、同図（ｂ１）及び（ｂ２）に示すように、ＭＰＥＧ−２ ＴＳｂでは、Ｐｂ_ｐｃｒ１の直後にＰｂ_ｓｔが位置しており、同図（ａ１）及び（ａ２）に示したＭＰＥＧ−２ ＴＳａと比較すると、Ｐｂ_ｐｃｒ１が、ＡＶパケット（Ｐｂ_ａｖ）やユニット開始表示パケット（Ｐｂ_ｓｔ）よりも相対的に遅れている。
【０１０８】
かかる場合、ビデオ遅延調整部２６１（オーディオ遅延調整部２６２）が、ＰＣＲパケットベース、つまり時刻情報に基づいてＭＰＥＧ−２ ＴＳａとＭＰＥＧ−２ ＴＳｂとの各パケットを合成する順序及び合成タイミングを調整しても、同一内容のパケットをビデオパケット選択部２６３（オーディオパケット選択部２６４）に送出することができないため問題となる。
【０１０９】
そこで、図５（ａ３）及び（ｂ３）に示すように、ビデオ遅延調整部２６１（オーディオ遅延調整部２６２）は、ＭＰＥＧ−２ ＴＳａ及びＭＰＥＧ−２ ＴＳｂに含まれるユニット開始表示（Payload Unit Start Indicator）パケット（Ｐａ_ｓｔ，Ｐｂ_ｓｔ）に基づいて、ＭＰＥＧ−２ ＴＳａ及びＭＰＥＧ−２ ＴＳｂに含まれる各パケットの合成順序及び合成タイミングを調整することができる。
【０１１０】
すなわち、１ビットで表現されるユニット開始表示パケットが“１”の場合、当該トランスポート・パケットのペイロード、つまりＡＶパケットによって構成されるＰＥＳ（Packetized Elementary Stream）パケットが、第１バイトから開始されていることを示している。したがって、ビデオ遅延調整部２６１（オーディオ遅延調整部２６２）は、ユニット開始表示パケットと、ユニット開始表示パケットによって指定される特定のＡＶパケット（Ｐａ_ａｖ，Ｐｂ_ａｖ）との時間的な距離（時間差）を認識することによって、ＭＰＥＧ−２ ＴＳａとＭＰＥＧ−２ ＴＳｂとの各パケットを合成する順序及び合成タイミングを調整する。
【０１１１】
図５（ａ３）及び（ｂ３）では、ユニット開始表示パケット（Ｐａ_ｓｔ，Ｐｂ_ｓｔ）と、Ｐａ_ｓｔ，Ｐｂ_ｓｔによって指定されるＡＶパケット（Ｐａ_ａｖ，Ｐｂ_ａｖ）とに基づいて、ＭＰＥＧ−２ ＴＳａ及びＭＰＥＧ−２ ＴＳｂに含まれる各パケットを合成する順序及び合成タイミングが調整されている。
【０１１２】
なお、ダイバシティ合成部２５０（ビデオ遅延調整部２６１，オーディオ遅延調整部２６２）は、より確実にＡＶパケットと、ＰＣＲパケットに含まれるＰＣＲとの時間的な距離（時間差）を認識するため、トランスポート・パケットに含まれるＰＩＤ値、トランスポート・パケットのスクランブルモードを示すスクランブル制御（Transport Scrambling Control）値、またはアダプテーション・フィールド制御（Adaptation Field Control）値が、合成される他のＭＰＥＧ−２ ＴＳのトランスポート・パケットと一致していることを合わせて判定してもよい。
【０１１３】
また、ＭＰＥＧ−２ ＴＳ多重（分離）装置（例えば、ＭＰＥＧ２ ＴＳ多重装置１００）などでは、出力されるＭＰＥＧ−２ ＴＳに含まれるＰＣＲ値が付替えられるが、当該付替処理に伴って、音声・映像パケットとＰＣＲパケットに含まれるＰＣＲとの時間的な距離（時間差）が変化する場合がある。
【０１１４】
図６は、このような、ＰＣＲ値の付替処理に伴う音声・映像パケットとＰＣＲパケット（に含まれるＰＣＲ）との位置関係の変化を説明するための説明図である。
【０１１５】
図６（ａ）は、ＭＰＥＧ−２ ＴＳ多重（分離）装置（例えば、ＭＰＥＧ２ ＴＳ多重装置１００）に入力されたＭＰＥＧ−２ ＴＳに含まれるＰＣＲ値から生成したＳＴＣカウンタ値を示している。
【０１１６】
また、同図（ｄ）は、ＭＰＥＧ−２ ＴＳ多重（分離）装置（例えば、ＭＰＥＧ２ ＴＳ多重装置１００）から出力されたＭＰＥＧ−２ ＴＳに含まれるＰＣＲ値から生成したＳＴＣカウンタ値（例えば、ＭＰＥＧ２ ＴＳ多重装置１００から出力されたＭＰＥＧ−２ ＴＳを受信して復号するＭＰＥＧ２復号器６１において生成されるＳＴＣカウンタ値）を示している。
【０１１７】
同図（ａ）及び（ｄ）に示すＳＴＣカウンタ値は、同一のＰＣＲ値に基づいて生成されるため、同一の時刻情報（タイミング）を有している。
【０１１８】
同図（ｂ）は、当該ＭＰＥＧ−２ ＴＳ多重（分離）装置に入力されたＭＰＥＧ−２ ＴＳのトランスポート・パケットを構成する各パケットを示している。同図（ｂ）において、各パケット内の下段に示された数字（１，１０，１５など）は、当該パケットに含まれるタイムスタンプの値を示している。
【０１１９】
なお、ＰＣＲパケットに含まれるタイムスタンプ（図中の“ＰＣＲ １”、“ＰＣＲ １１”）に示されている時刻と、同図（ａ）に示したＳＴＣカウンタ値による時刻とは一致しているものとする（図中の矢印付き一点破線を参照）。
【０１２０】
同図（ｂ）に示したＭＰＥＧ−２ ＴＳの映像パケット“Ｖ １０”は、同図（ａ）に示したＳＴＣカウンタの値が“３”の時点において、ＭＰＥＧ−２ ＴＳ多重（分離）装置に入力されている。つまり、当該映像パケットの受信時刻（“３”）と、再生（または復号）時刻（“１０”）とは、“７”カウント分の“処理待ち時間”となる（図中の矢印付き実線を参照）。
【０１２１】
さらに、図６（ｃ）は、当該ＭＰＥＧ−２ ＴＳ多重（分離）装置から出力されたＭＰＥＧ−２ ＴＳのトランスポート・パケットを構成する各パケットを示している。同図（ｃ）において、各パケット内の下段に示された数字（３，１０，１５など）は、当該パケットに含まれたタイムスタンプの値を示している。
【０１２２】
同図（ｃ）に示すＭＰＥＧ−２ ＴＳのトランスポート・パケットが、当該ＭＰＥＧ−２ ＴＳ多重（分離）装置から出力されるタイミングは、当該ＭＰＥＧ−２ ＴＳ多重（分離）装置による多重（分離）処理に伴い、同図（ｂ）に示した当該ＭＰＥＧ−２ ＴＳ多重（分離）装置に入力されるＭＰＥＧ−２ ＴＳのトランスポート・パケットよりも、２パケット分遅れている。
【０１２３】
したがって、当該ＭＰＥＧ−２ ＴＳ多重（分離）装置によるＰＣＲ値の付替処理に伴い、同図（ｂ）の“ＰＣＲ １”は、タイムスタンプの内容が変更（“１”→“３”）され、同図（ｃ）に示すように、“ＰＣＲ ３”に変更される。
【０１２４】
ここで、一般的なＭＰＥＧ−２ ＴＳ多重（分離）装置などでは、当該ＭＰＥＧ−２ ＴＳ多重（分離）装置自体における処理遅延は考慮されずに、ＰＣＲ値の付替処理が実行される。
【０１２５】
このため、同図（ｃ）に示したＭＰＥＧ−２ ＴＳの映像パケット“Ｖ １０”は、同図（ａ）に示したＳＴＣカウンタの値が“５”の時点において、ＭＰＥＧ−２ ＴＳ多重（分離）装置から出力される。
【０１２６】
したがって、当該ＭＰＥＧ−２ ＴＳを受信して復号するＭＰＥＧ２復号器（例えば、ＭＰＥＧ２復号器６１）では、当該映像パケットの受信時刻（“５”）と、再生（または復号）時刻（“１０”）とは、“５”カウント分の“処理待ち時間”となる（図中の矢印付き実線を参照）。
【０１２７】
つまり、当該ＭＰＥＧ−２ ＴＳ多重（分離）装置への入力時点では、“処理待ち時間”は“７”カウント分であったが、当該ＭＰＥＧ−２ ＴＳ多重（分離）装置の処理遅延によって、“処理待ち時間”（時間的な距離）は、“５”カウント分に減少する。
【０１２８】
すなわち、ＭＰＥＧ−２ ＴＳが、このようなＭＰＥＧ−２ ＴＳ多重（分離）装置を経由すると、ＭＰＥＧ−２ ＴＳａ及びＭＰＥＧ−２ ＴＳｂにそれぞれ含まれるＰＣＲ値に基づいてＳＴＣカウンタ値を一致させても、音声・映像パケットの位置が“２”カウント分のずれを生じることとなる。
【０１２９】
本実施形態に係るダイバシティ合成部２５０は、上述したように、ユニット開始表示パケットに基づいて、ＭＰＥＧ−２ ＴＳａとＭＰＥＧ−２ ＴＳｂとの各パケットを合成する順序及び合成タイミングを調整することができるため、図６（ａ）〜（ｄ）に示したような場合においても、各パケットを合成する順序及び合成タイミングを調整することができる。
【０１３０】
次に、図７を参照して、ダイバシティ合成部２５０が、合成したＭＰＥＧ−２ ＴＳに付加されるＰＣＲの値を調整する動作について説明する。
【０１３１】
ここで、同図（ａ）は、受信回路２５０ａに入力されるＭＰＥＧ−２ ＴＳａ、すなわち、ＯＦＤＭ受信機３３によって出力されたＭＰＥＧ−２ ＴＳを示している。一方、同図（ｂ）は、受信回路２５０ｂに入力されるＭＰＥＧ−２ ＴＳｂ、すなわち、ＭＰＥＧ２ ＴＳ分離部２１０によって出力されたＭＰＥＧ−２ ＴＳを示している。
【０１３２】
同図（ａ）に示されたＭＰＥＧ−２ ＴＳａは、ＯＦＤＭ受信機３３を介して直接ダイバシティ合成部２５０に入力されるため、ジッタ成分（変動遅延）が少なくなっている（図中の各四角形間の距離がほぼ均一である）。
【０１３３】
一方、同図（ｂ）に示されたＭＰＥＧ−２ ＴＳｂは、ＭＰＥＧ２ ＴＳ多重装置１００及びＭＰＥＧ２ ＴＳ分離部２１０を介してダイバシティ合成部２５０に入力されるため、ジッタ成分が大きくなる（図中の各四角形間の距離が均一でない）。また、ＭＰＥＧ−２ ＴＳｂは、ＭＰＥＧ−２ ＴＳａと比較して、伝搬経路が長いことやＭＰＥＧ２ ＴＳ多重装置１００などを経由するため、固定遅延ＦＤが大きくなる。
【０１３４】
同図（ｃ）は、ＭＰＥＧ−２ ＴＳａ及びＭＰＥＧ−２ ＴＳｂに含まれる各パケットの時間的な位置関係を表したものである。同図（ｃ）において、ｔａは、時刻を示しており、ｔｒは、前パケットとの時間的な距離（時間差）を示している。
【０１３５】
また、Ｐａは、ＭＰＥＧ−２ ＴＳａに含まれる各パケットの理想的な入力時刻（すなわち、ジッタ成分がない）を示しており、Ｐｂは、ＭＰＥＧ−２ ＴＳｂに含まれる各パケットの理想的な入力時刻を示している。
【０１３６】
ダイバシティ合成部２５０は、ＭＰＥＧ−２ ＴＳａに含まれるＰＣＲ値と、ＭＰＥＧ−２ ＴＳｂに含まれるＰＣＲ値によってそれぞれ生成されるＳＴＣの値を平均し、当該平均値を合成後のＭＰＥＧ−２ ＴＳのＰＣＲ値として、ＰＣＲパケットに格納する。
【０１３７】
すなわち、図５（ｃ）に示すＰａとＰｂとの中間に位置するＰａｖ上に位置するような時刻情報が合成後のＭＰＥＧ−２ ＴＳのＰＣＲ値として付加される。なお、付加されるＰＣＲ値は、ＰａとＰｂとの中間に位置する値であれば、Ｐａｖ上に位置しないものであってもよい。
【０１３８】
以上、本発明の一実施形態について、ＭＰＥＧ−２を例として説明したが、本発明の適用範囲は、ＭＰＥＧ−２に限定されるものと解すべきではない。すなわち、本発明は、音声映像信号に含まれる時刻情報であるプログラム参照時刻情報、及び多重装置において用いられる時刻情報であるシステム基準時刻情報に基づいて動作する音声映像信号合成装置に適用することができる。
【０１３９】
（作用・効果）
以上説明した本実施形態に係るダイバシティ合成部２５０によれば、パケット識別部２５５ａが、ＭＰＥＧ−２ ＴＳの番組特定情報（ＰＳＩ）、具体的には、ＰＡＴ及びＰＭＴの内容を参照して、合成対象のトランスポート・パケットを識別するため、ＭＰＥＧ２ ＴＳ多重装置１００などによって、パケットの内容を示すＰＩＤが書き換えられた場合でも、ダイバシティ合成部２５０は、合成対象のトランスポート・パケットを確実に識別することができる。
【０１４０】
本実施形態に係るダイバシティ合成部２５０によれば、ビデオ遅延調整部２６１及びオーディオ遅延調整部２６２が、ＭＰＥＧ−２ ＴＳに含まれる巡回カウンタの値に基づいて、合成対象のトランスポート・パケットを送出する順序を調整するため、ＭＰＥＧ２ ＴＳ多重装置１００などによって、合成対象のトランスポート・パケットの伝送順序が変更されている場合でも、合成時に正しい順序に調整することができる。
【０１４１】
本実施形態に係るダイバシティ合成部２５０によれば、ＰＣＲ付加部２６７が、ＳＴＣの中間値に基づいて、合成された“出力ＭＰＥＧ−２ ＴＳ”にＰＣＲ値を付加するため、“出力ＭＰＥＧ−２ ＴＳ”のジッタ成分、すなわち、“出力ＭＰＥＧ−２ ＴＳ”の出力タイミングが大きく変動することを抑制することができる。
【０１４２】
本実施形態に係るダイバシティ合成部２５０によれば、可変遅延調整部２５２ａ，２５２ｂがＭＰＥＧ−２ ＴＳａ及びＭＰＥＧ−２ ＴＳｂに用いられるＳＴＣの値を近似または一致させるため、合成されるＭＰＥＧ−２ ＴＳ間の伝搬遅延差を減少させることができる。
【０１４３】
当該複数ＳＴＣの値を近似または一致させることによって、一般的には、合成されるＭＰＥＧ−２ ＴＳ間の伝搬遅延差を１５パケット分に相当する時間以内に収斂させることができるため、ダイバシティ合成部２５０は、ビデオ遅延調整部２６１及びオーディオ遅延調整部２６２による動作と合わせて、ＭＰＥＧ−２ ＴＳ間の伝搬遅延差が大きい場合でも正常にＭＰＥＧ−２ ＴＳを合成することができる。
【０１４４】
本実施形態に係るダイバシティ合成部２５０によれば、ビデオ遅延調整部２６１及びオーディオ遅延調整部２６２が、ユニット開始表示情報（Payload Unit Start Indicator）に基づいて、音声・映像パケットと、ＰＣＲパケットに含まれるＰＣＲとの時間的な距離（時間差）を認識するため、ＰＣＲの付替処理などに伴ってＰＣＲパケットの伝送順序が音声・映像パケットよりも相対的に遅れる場合や、音声・映像パケットなどのＰＣＲパケットに対する位置が変化する場合でも、正常にＭＰＥＧ−２ ＴＳを合成することができる。
【図面の簡単な説明】
【０１４５】
【図１】本発明の実施形態に係る野外番組の中継システムの構成例を示す図である。
【図２】本発明の実施形態に係る野外番組の中継システムの概略ブロック構成を示す図である。
【図３】本発明の実施形態に係る音声映像信号合成装置の論理ブロック構成を示す図である。
【図４】本発明の実施形態に係る音声映像信号合成装置において合成される音声映像信号の構造を示す図である。
【図５】本発明の実施形態に係る音声映像信号合成装置による伝搬遅延差の調整の動作を説明するための説明図である。
【図６】本発明の実施形態に係る音声映像信号合成装置による伝搬遅延差の調整の動作を説明するための説明図である。
【図７】本発明の実施形態に係る音声映像信号合成装置によるプログラム参照時刻情報の付替動作を説明するための説明図である。
【符号の説明】
【０１４６】
１００…ＭＰＥＧ２ ＴＳ多重装置、１１，１２…ＭＰＥＧ２符号化器、２１，２２…ＯＦＤＭ送信機、３１，３２，３３…ＯＦＤＭ受信機、４１…ＦＭ送信機、５１…ＦＭ受信機、６１，６２…ＭＰＥＧ２復号器、２００…ＭＰＥＧ２ ＴＳ分離・ダイバシティ合成装置、２１０…ＭＰＥＧ２ ＴＳ分離部、２５０…ダイバシティ合成部、２５０ａ，２５０ｂ…受信回路、２５１ａ，２５１ｂ…受信部、２５２ａ，２５２ｂ…可変遅延調整部、２５３ａ，２５３ｂ…ＰＬＬ部、２５４…番組番号選択部、２５５ａ，２５５ｂ…パケット識別部、２５６ａ，２５６ｂ…ビデオバッファ、２５７ａ，２５７ｂ…オーディオバッファ、２５８ａ，２５８ｂ…ＳＴＣカウンタ、２６１…ビデオ遅延調整部、２６２…オーディオ遅延調整部、２６３…ビデオパケット選択部、２６４…オーディオパケット選択部、２６５…多重化部、２６６…ＳＴＣ平均化部、２６７…ＰＣＲ付加部、ＢＳ１…センター基地局、ＢＳ２，ＢＳ３…基地局、Ｃ１，Ｃ２…移動中継車ＣＵ…コース、ＣＶ１，ＣＶ２，ＣＶ３ａ，ＣＶ３ｂ…カバレッジ、ＲＬ１，ＲＬ２，ＲＬ１１，ＲＬ１２，ＲＬ２１，ＲＬ２２…無線回線、ＳＤ…スタジアム、ＳＴ…放送局、ＴＷ…送信タワー
【図１】
2005217660.tif 000003
【図２】
2005217660.tif 000004
【図３】
2005217660.tif 000005
【図４】
2005217660.tif 000006
【図５】
2005217660.tif 000007
【図６】
2005217660.tif 000008
【図７】
2005217660.tif 000009